(57)【要約】 【課題】  シジミ等の二枚貝について、閉口している死貝を確実に開口させ、生きた貝との選別が効率良く行い得る二枚貝選別装置を提供する。【解決手段】  この二枚貝選別装置１においては、本体枠２の上部に載置固定された被選別貝の投入口３ｇを備えた供給部３と、該供給部３から供給された被選別貝に速度を付与する加速手段４と、該加速手段４で速度を付与された被選別貝が衝突する衝突部材５とから基本的に構成されており、加速手段４は、中心軸８に一体固定した円筒軸９と、該円筒軸９に固定した複数の羽根からなる羽根部１０とを備え、時計方向に回転している。このため供給部３から供給された被選別貝は、羽根部１０に当接して、略水平方向に弾き飛ばされることになる。飛ばされた被選別貝が、衝突部材５に衝突するようにしたことにより、複数回の衝突を繰り返すことで死貝の開口を促進する。【選択図】図１
2006043585.tif 000002
【特許請求の範囲】
【請求項１】
二枚貝の投入口を備えた供給部と、該供給部の放出口から放出された二枚貝に速度を付与する加速手段と、該加速手段で速度を付与された二枚貝が衝突する衝突部材とを備えたことを特徴とする二枚貝選別装置。
【請求項２】
前記加速手段が回転軸と、該回転軸に連結固定された羽根部とからなり、前記供給部から供給された二枚貝は、回転軸が回転することにより該羽根部で弾き飛ばされることで速度を付与されるようにした請求項1に記載の二枚貝選別装置。
【請求項３】
前記回転軸は、二枚貝の種類や大きさに合わせて回転数を可変できるようにした請求項2に記載の二枚貝選別装置。
【請求項４】
前記加速手段は、空気または水に所定の圧力を加えて噴射口から噴射する噴射装置であり、該噴射装置より噴射された空気または水を、前記供給部から供給された二枚貝に吹き掛けることにより、二枚貝に速度を付与させるようにした請求項1に記載の二枚貝選別装置。
【請求項５】
前記衝突部材は、丸棒または平板、もしくはこれらの組み合わせからなり、二枚貝を複数回衝突させるようにした請求項1に記載の二枚貝選別装置。
【発明の詳細な説明】
【技術分野】
【０００１】
本発明は、二枚貝の選別装置に関するものであり、更に詳しくは、二枚貝の生死を明確にして選別を行うための選別装置に関するものである。
【背景技術】
【０００２】
シジミやアサリ等の二枚貝は、鋤簾と呼ばれる漁具で漁獲し、船上で片貝やごみ等を分離し、漁獲制限量に指定された漁獲箱に全量入れて港に運ばれ、その後、港で選別機等を用いて、片貝の除去および大きさ別にS・M・Lに選別されている。更に、生きた貝と、閉口している死貝で泥の入っている泥貝と、閉口している死貝で何も入っていない空貝とを手作業で選別している。この手作業選別は、目視による貝の色や、貝同士を手中で衝突させるように転がしたり床等に衝突させたりして、このとき発生する音で、生きた貝の良品と死貝の不良品とを選別している。その後、良品の貝は、砂だしや洗浄を行って出荷される。
【０００３】
しかしながら手作業選別は、熟練を要す上に大量の貝を選別するには重労働であり、また色や音による選別は、見落としによる不良品の混入が避けられないなどの欠点があった。
【０００４】
また、別手法として、真水または塩水中に貝を浸漬しておき、生きた貝が口を開けるのを確認しその貝を拾い上げる方法もある。しかし、拾い上げる時に生じる振動等を貝が察知して、瞬時に口を閉じてしまうので数個づつしか選別できず、長時間を費やす問題がある。更に、温度変化を与えたり、薬品等により強制的に口を開けさせ、選別することも考えられるが鮮度を損なう問題がある。
【０００５】
これらの改善策として、被選別貝を所定距離から落下させ、さらに振動部材によって貝に振動を与え、死貝を片貝にして選別する方法（例えば特許文献1参照）と、貝の大きさを選別する選別機で、傾斜させた枠体の底部に丸棒を間隔を保って複数本配列し、頂上付近は片貝が通過する隙間、次はSサイズの貝が通過する隙間、最後はMサイズの貝が通過する隙間にし、これらの隙間から落下しない貝はLサイズとして選別するときに、この枠体の振動で死貝を片貝にする方法（例えば特許文献2参照）とがある。
【特許文献１】実公昭63−20300号公報
【特許文献２】特開平11−33489号公報
【発明の開示】
【発明が解決しようとする課題】
【０００６】
二枚貝は、軟体を左右から二枚の殻で囲み包んでおり、殻は石灰質で厚く、通常ハマグリ型である。二枚の殻は靭帯で結ばれ、靭帯によって殻を開き、軟体の前後にある閉殻筋を収縮して殻を閉じ、合殻のとき左右の殻は、完全に閉じ密封される。開口して軟体が死亡したときは、軟体が水中生物の餌食等になって消失するので、前記選別機による振動によって靭帯が切れて片貝になり易く、良品に混入することはほとんどない。
【０００７】
しかし、閉口の密封状態で軟体が死亡したときは、強固に閉口している状態を保っている。死貝には、前述の如く内部に泥水が入っている泥貝や何も入っていない空貝等があり、いずれも強固に閉口しているが、これらのことについて明記されている文献等が見当たらない。本発明者は、その理由を実験の結果、負圧によって強固に閉口していると推察した。それは、軟体が死亡すると微生物によって分解されて、硫化水素やアンモニア等のガスが発生し、該ガスの圧力が次第に上昇してやがて殻を閉じている力（閉殻筋の分解が最後になると推察される）以上のガス圧になると、これらのガスの圧力によって左右の殻の一部が開き、内部ガスや未分解物が一気に放出される。このとき貝の内部は、負圧になるので瞬時に開いた部分を再び閉じると推察される。このように、強固に閉口している死貝の閉口する力は、閉殻筋に換わって負圧によるものと思われる。貝の内部が負圧になって閉じる過程で、微細粒の泥と水の混合した泥水が一部吸い込まれることもあり、これが一般に呼ばれる泥貝となり、泥水が吸い込まれないものは、空貝と呼ばれていると思われる。
【０００８】
従って、口を僅かでも開けた死貝は、前記選別機の振動による衝撃や所定距離からの自重落下による衝撃等によって片貝になるが、口を閉じた死貝がこれらの衝撃でも口を開かないのは、負圧がこれら死貝の閉口を強固にしているためだと思われる。これらの死貝を見分ける方法は、色や音によって見分ける手作業選別法しかないのが実状である。
【０００９】
すなわち本発明は、前述した従来の選別作業に内在している前記課題に鑑み、これを好適に解決するべく提案されたものであって、二枚貝の生きた貝と死貝を選別するにおいて、閉口している死貝を開口もしくは片貝に成し得る二枚貝選別装置を提供することを目的とする。
【課題を解決するための手段】
【００１０】
前記課題を克服し、所期の目的を好適に達成するため、本発明に係る二枚貝選別装置は、第１の手段として、被選別貝の投入口を備えた供給部と、該供給部の放出口から放出された被選別貝に速度を付与する加速手段と、該加速手段で速度を付与された被選別貝が衝突する衝突部材とを備えたことを特徴とする（請求項１の発明）。
【００１１】
斯かる手段によれば、供給部の放出口から放出された被選別貝は、加速手段によって速度と飛行方向が付与され、飛行して衝突部材に衝突する。この衝突で被選別貝が受ける衝撃力は、生きた貝の殻の一部が破壊される直前の大きさである。生きた貝は、閉殻筋による収縮で固く殻を閉じており、殻の一部が破壊されても開口することはないが、負圧によって閉口している死貝は、生きた貝の殻の一部が破壊される衝撃力の直前の衝撃力で開口することが実験の結果分かった。従って、漁獲した二枚貝の種類や大きさによって、加速手段の加速度を予め実験によって設定しておき、船上もしくは漁港で生きた貝と死貝等が混在した被選別貝に、所定の速度を与えて衝突部材に衝突させると、閉口している死貝は、受けた衝撃力で左右の殻のズレ等を生じて隙間ができ、この隙間から空気が流入して負圧が消滅して開口する。このとき、生きた貝は閉口した状態を保つ。これによって、生きた貝と死貝が効果的に連続して選別できる。また、構成が簡単であり、小型化が可能なため、小型漁船に搭載し、漁場で選別作業をすると、漁獲制限量に指定された漁獲箱に生きた貝の良品のみを全量入れて帰港することが期待できる。更に、前記大きさ別に選別する選別機に連結して使用すると、死貝の除去および良品のサイズ選別が連続してできるので、従来の手作業による選別を短縮もしくは省略できる効果が期待できる。
【００１２】
また、上記目的を達成するために本発明の二枚貝選別装置は、第２の手段として、請求項1に記載の二枚貝選別装置を備え、該装置の前記加速手段が回転軸と、該回転軸に連結固定された羽根部とからなり、前記供給部から供給された被選別貝は、回転軸が回転することにより該羽根部で弾き飛ばされることで速度を付与されるようにしたことを特徴とする（請求項２の発明）。
【００１３】
斯かる手段によれば、回転軸に連結固定された羽根部が高速で回転する加速手段としたので、供給部から供給された被選別貝は、羽根部で一度衝撃力を受けた後、飛ばされて前記衝突部材に衝突することになる。このため閉口している死貝には、外力が複数回加えられることになり、左右の殻のズレ等が生じ易くなる。また、羽根部もしくは前記衝突部材で衝撃力を受けたときに開口した死貝は、落下するまでの間に複数回の衝突をすることになり、片貝になり易くなることが期待できる。
【００１４】
更に、上記目的を達成するために本発明の二枚貝選別装置は、第３の手段として、請求項２に記載の二枚貝選別装置を備え、該装置の前記回転軸が、被選別貝の種類や大きさに合わせて回転数を任意に可変できるようにしたことを特徴とする（請求項３の発明）。
【００１５】
斯かる手段によれば、前記回転軸の回転数を可変できるようにしたので、本発明の二枚貝選別装置１台で複数の種類の二枚貝が選別でき、また漁場によって大きさが異なる二枚貝の選別にも好適に対応できる。
【００１６】
そして、上記目的を達成するために本発明の二枚貝選別装置は、第４の手段として、請求項１に記載の二枚貝選別装置を備え、該装置の前記加速手段は、空気または水に所定の圧力を加えて噴射口から噴射する噴射装置であり、該噴射装置より噴射された空気または水を、前記供給部から供給された被選別貝に吹き掛けることにより、被選別貝に速度を付与させるようにしたことを特徴とする（請求項４の発明）。
【００１７】
斯かる手段によれば、空気または水の圧力を加速手段としたので、供給部から供給された被選別貝は、空気または水と一緒に前記衝突部材に衝突することになるので、泥貝から出た泥の洗浄が期待できる。
【００１８】
そしてまた、上記目的を達成するために本発明の二枚貝選別装置は、第５の手段として、請求項１に記載の二枚貝選別装置を備え、該装置の前記衝突部材が丸棒または平板、もしくはこれらの組み合わせからなり、被選別貝を複数回衝突させるようにしたことを特徴とする（請求項５の発明）。
【００１９】
斯かる手段によれば、前記衝突部材を丸棒または平板、もしくはこれらの組み合わせから構成したので、加速された被選別貝は、該衝突部材で複数回衝突することになり、衝撃を受ける殻の箇所が異なることによって左右の殻のズレ等が生じ易くなる。更に開口のみならず、開口した貝が次の衝突で片貝になり易くなるので、後述する片貝選別機で片貝除去が容易になる。更にまた、被選別貝は該衝突部材に衝突した後、積層されることなく円滑に下方に落下するので、連続して飛散してくる被選別貝の衝突を妨げることがない。
【発明の効果】
【００２０】
本発明に係る二枚貝選別装置によれば、供給部から供給された被選別貝が、加速手段によって速度が付与されてから、衝突部材に衝突するようにしたので、閉口している死貝は、この衝突で受ける衝撃力により、左右の殻のズレ等を生じる結果、負圧による閉口を解除して開口し、生きた貝と死貝の正確な選別を可能にすることができる。また、本装置における選別は、被選別貝の投入後、数分の短時間で行えるので、生きた貝の鮮度を損なうことがない。
【発明を実施するための最良の形態】
【００２１】
次に、本発明に係る二枚貝選別装置につき、好適な実施例を挙げて、添付図面を参照して以下に説明する。
【実施例１】
【００２２】
図１は、実施例１に係る二枚貝選別装置の選別機構を概略的に示すものであり、図２は図１のＢ-Ｂ断面図を示す。図１および図２の二枚貝選別装置１における選別機構は、本体枠２の上部に載置固定された供給部３と、該供給部３の下方位置に配置された加速手段４と、該加速手段４のほぼ水平近傍で本体枠２に一体的に固定された衝突部材５とから基本的に構成される。供給部３は、上方に開口した投入口3ｇと、本体枠２の内部に向かって傾斜する側壁3ａ，3ｂ，3ｃと、垂直の側壁3ｄとから構成された略四角錐の形状であって、下方には幅狭で長方形の開口を有する放出口3ｅを形成するよう構成されている。また、前記供給部３の投入口3ｇの端部に、枢軸６により傾動可能に枢支されたレバー７と、該レバー７に一体固定した調節板８が、前記放出口3ｅの上方口部の近傍にその下端を臨むように配設されている。そして、枢軸６を支点としてレバー７を左方向に傾動すれば、調節板８の下端と前記側壁3ａの隙間が閉成し、右方向に傾動すれば、調節板８の下端と前記側壁3ａの隙間が開放するよう構成される。該調節板８は、被選別貝の定量供給を行うもので、後述する被選別貝の飛行方向を安定させるものである。
【００２３】
前記放出口3ｅの真下には、中心軸８に一体固定した円筒軸９と、該円筒軸９に固定した複数の羽根からなる羽根部１０と、前記本体枠２の所定部位に配設され中心軸８を支持する軸受１１、１２と、中心軸８の片方端部に固定されたプーリー１３とから構成される加速手段４が配置される。円筒軸９は、前記放出口3ｅの長さ寸法より長く設定され、羽根部１０は、矩形状で長さ寸法は、円筒軸９と同寸で、円筒軸９に所定間隔を在して複数の羽根が溶接等によって固定されて形成され、高さ寸法は、前記放出口3ｅの下端部3ｆと所定の間隔Ｓを設けた寸法に設定されている。該間隔Ｓは、数十ｍｍである。また、羽根部１０は、二枚貝の種類に応じてステンレス等の金属や樹脂およびゴム等の材質が適宜選定される。
【００２４】
前記本体枠２は、選別室2ａと機械室2ｂを区分けしており、機械室2ｂにはエンジン駆動モーター１４が配置されている。該エンジン駆動モーター１４のモーター14ａには、前記プーリー１３よりも大径のプーリー１５が連結固定され、該プーリー１５と前記プーリー１３はＶベルト（図示省略）で連結されている。エンジン駆動モーター１４を駆動すると、プーリー１５が時計方向に回転し、Ｖベルトで連結されている前記プーリー１３も回転して前記中心軸８を回転させる。該中心軸８の回転に連動して前記円筒軸９と前記羽根部１０も時計方向に回転する。エンジン駆動モーター１４は、エンジンの回転速度が可変できるので、前記円筒軸９の回転数を任意に選定できる。
【００２５】
前記衝突部材５は、前記加速手段４の回転方向の略水平位置に配置され、ステンレス等の硬度の高い材料の丸棒と平板でブロック体として構成される。前記本体枠２の内面に沿って矩形状の衝突板１７、１８、１９が、図示しないボルトでコの字状に固定配置されている。また、衝突板１８の上方で前記本体枠２の内面に沿って丸棒２２ａ，２２ｂ，２２ｃの端部を保持する保持枠２０、下方に丸棒２３ａ，２３ｂ，２３ｃの端部を保持する保持枠２１が、それぞれ固定配置されている。更に、該保持枠２０と保持枠２１に対向する衝突板１９の上方と下方位置に、保持枠２０と同形状の保持枠（図示省略）と、保持枠２１と同形状の保持枠（図示省略）とが、それぞれ固定配置されている。これらの保持枠間には、丸棒２２ａ，２２ｂ，２２ｃおよび丸棒２３ａ，２３ｂ，２３ｃが所定の間隔を在して水平に固定されている。更にまた、丸棒２２ａと丸棒２３ａの間、丸棒２２ｂと丸棒２３ｂの間、丸棒２２ｃと丸棒２３ｃの間には、それぞれ所要の整列パターンで丸棒２４、２５、２６が複数本配設され、上下端がそれぞれ丸棒２２ａ、２２ｂ，２２ｃおよび丸棒２３ａ，２３ｂ，２３ｃに一体固定されている。この整列パターンは、二枚貝が２〜３個通過する間隔の寸法に設定され、さらに複数の丸棒２４、２５、２６が千鳥の配列になるよう構成されている。
【００２６】
前記衝突部材５の下方は、被選別貝を落下させるための落下口２７を有しており、後述する片貝選別機４０およびサイズ選別機５０の上に被選別貝を放出できるようになっている。
【００２７】
図３は、前記二枚貝選別装置１を、片貝と閉口している貝とに選別する片貝選別機４０に連結した構成につき開示している。片貝選別機４０は、右方向に傾斜しており、その底部には、複数の丸棒が所定の間隔を保って傾斜方向に並べられている（図示省略）。該間隔は、片貝は通過するが閉口している貝は通過しない寸法に設定されている。また、片貝選別機４０は、上下に連続して振動するように振動装置が接続されていて（図示省略）、下方には片貝を受納する容器４１と、開放端40ａから落下する閉口している貝を受納する漁獲箱４２が配置されている。
【００２８】
図４は、前記二枚貝選別装置１を、片貝と閉口している貝とに選別した後、Ｓ、Ｍ、Ｌの大きさ別に選別するサイズ選別機５０に連結した構成につき開示している。サイズ選別機５０は、上記した片貝選別機４０と基本的に同一構成にあって、片貝と閉口している貝とに選別する区画５０ａ、Ｓサイズの貝が通過するように丸棒の間隔を設定した区画５０ｂ、Ｍサイズの貝が通過するように丸棒の間隔を設定した区画５０ｃを一体的に備えた構成としている（図示省略）。また、サイズ選別機５０は、上下に連続して振動するように振動装置が接続されていて（図示省略）、区画５０ａの下方には片貝を受納する容器４１、区画５０ｂの下方にはＳサイズの貝を受納する容器５１、区画５０ｃの下方にはＭサイズの貝を受納する容器５２、開放端50ｄから落下するＬサイズの貝を受納する容器５３が配置されている。
【００２９】
次に、実施例１に係る二枚貝選別装置１の作用につき図１および図２を参照して説明する。選別運転に際し、図１に示す如く前記レバー７を左方向に傾動して、前記調節板８と前記側壁3ａ，3ｂ，3ｃで形成される隙間を、被選別シジミが1〜2個通過するように設定し、前記調節板８の端部全周から被選別シジミが数十個づつ連続して前記放出口3ｅに供給されるようにする。前記エンジン駆動モーター１４を始動させて、前記加速手段４を時計方向に所定速度で回転させる。
【００３０】
そして、前記供給部３の投入口3ｇから被選別シジミを入れると、この被選別シジミが数十個づつ連続して前記放出口3ｅから自重落下して放出される。放出された被選別シジミは、高速回転する前記羽根部１０により、矢印に示されるように前記衝突部材５へ向かって略水平右方向に次々弾き飛ばされる。飛ばされた被選別シジミは、複数の前記丸棒２４、２５、２６のいずれかに衝突して飛行方向を変え、次に他の丸棒２４、２５、２６や前記衝突板１７、１８、１９に衝突してさらに飛行方向を変え、次々に衝突を繰り返しながら速度を減衰させて自重落下し、底部の落下口２７から下方に放出される。これらの衝突を繰り返しているときは、被選別シジミ同志の衝突も起り得る。
【００３１】
このように、前記放出口3ｅから二枚貝選別装置１外に放出されるまでの過程において、被選別シジミが受ける衝撃は、前記羽根部１０と前記衝突部材５によって少なくとも２回以上になる。しかも、殻が損傷を受ける直前の衝撃力を受けるように、前記加速手段４が設定されているので、負圧によって閉口している死貝は、左右の殻のズレ等が生じ易くなって内部に外気が侵入し、負圧が解除されて開口する。開口した死貝は、次の衝突で容易に片貝になる。
【００３２】
ここでシジミは、前述の如く二枚の殻が靭帯で結ばれているので、靭帯に近い殻頂部に衝撃力を加えると、１回で死貝が開口することが実験で分かった。この結果から、被選別シジミが複数回衝撃を受ける構成は、殻頂部が衝突する確率を高めるので、死貝の開口を促進する効果がある。
【００３３】
また、前記レバー７に一体固定した調節板８が、前記放出口3ｅからの被選別シジミの供給量を調整できるようにしたので、前記加速手段４の駆動方式に応じて、例えば手動の時は少量づつ、エンジン駆動モーターや電動モーターの時は多量にと可変でき、可変後の設定では安定して定量供給ができる。この定量供給によって駆動源に加わる負荷変動が少なくなり、前記加速手段４の回転数が安定して、被選別シジミの飛行方向を一定範囲にすることができる。
【００３４】
更に、前記放出口3ｅから放出された被選別シジミを、前記加速手段４によって略水平方向に弾き飛ばし、前記衝突部材５に衝突させてから落下するようにしたので、二枚貝選別装置１自体の高さが低く構成でき、小型船への搭載が可能になる。
【００３５】
次に、前記二枚貝選別装置１を、片貝と閉口している貝とに選別する片貝選別機４０に連結した構成の作用につき図３を参照して説明する。上述したように前記二枚貝選別装置１によって、良貝は閉口したまま、死貝は片貝となって該二枚貝選別装置１の底部の落下口２７から、連続して落下する。落下した被選別シジミは、前記片貝選別機４０内に入ると、矢印で示される該片貝選別機４０の上下振動を受け、上下動しながら右下方向に移動し始める。この上下振動によって被選別シジミは、種々の方向を向くことになり、片貝も同様に向きが変わり、前記片貝選別機４０の底部に配設されている複数の丸棒の隙間から落下して、容器４１に貯留される。一方、閉口しているシジミは、前述の隙間から落下することなく、傾斜方向に移動して開放端40ａから漁獲箱４２に貯留される。本実施例は、構成が簡単であり、小型化が可能なため、小型漁船に搭載し、漁場で選別作業をすると、漁獲制限量に指定された漁獲箱４２に生きたシジミのみを全量入れて帰港することが期待できる。
【００３６】
次に、前記二枚貝選別装置１を、片貝と閉口している貝とに選別した後、Ｓ、Ｍ、Ｌの大きさ別に選別するサイズ選別機５０に連結した構成の作用につき図４を参照して説明する。本構成の作用は、上述した片貝選別機４０の作用と基本的に同一にあって、前記二枚貝選別装置１から落下した被選別シジミは、区画50ａの上部付近に収容され、該区画50ａにおいて片貝を除去した後、区画50ｂに移動してＳサイズのシジミのみが、底部に配設されている複数の丸棒の隙間を通り抜け容器５１に貯留される。区画50ｂで選別されなかったシジミは、区画50ｃにおいてＭサイズのシジミのみが、底部に配設されている複数の丸棒の隙間を通り抜け容器５２に貯留される。区画50ｃで選別されなかったシジミは、開放端50ｄから容器５３に落下して貯留され、Ｌサイズのシジミになる。本構成は、連続して多量な自動選別が可能で、手作業による選別を短縮もしくは省略できる効果が期待できる。
【実施例２】
【００３７】
次に、本発明の実施例２に係る二枚貝選別装置につき、図５および図６を参照して以下に説明する。なお、図５は、本発明の実施例１の二枚貝選別装置を示す図１相当図で、以下上記実施例１と同一部分には同一符号を付して説明を省略し、異なる部分についてのみ説明する。図６は、図５のC-C断面図を示し、同じく図２相当図であり、異なる部分についてのみ説明する。この二枚貝選別装置３０は、上記実施例１と基本的に同一構成にあって、加速手段において異なるものである。
【００３８】
即ち、図５および図６に示す実施例２における加速手段３１は、液体または気体を噴射させるノズル３２を複数設けており、前記放出口3ｅの下端部3ｆに近接して、前記衝突部材５に対向するように開口した噴射口32ａで、前記放出口3ｅから放出される被選別貝を前記衝突部材５の方向に吹き飛ばすように配置した構成としている。ノズル３２は、前記機械室2ｂに配管された主管３３に連通接続されている。主管３３には、前記放出口3ｅの開口に適応して複数のノズル３２と、外部から供給される液体または気体の供給源であるポンプ等（図示省略）と連通する管３５が配設されている。更に、主管３３と管３５の接続部には、液体または気体の流量を調節する弁３４が接続されている。該弁３４を調節して噴射口32ａから噴射される液体または気体を圧力可変できるよう構成される。
【００３９】
次に、実施例２に係る二枚貝選別装置の作用につき図５および図６を参照して説明する。選別運転に際し、前記弁３４を調節して液体または気体を複数の前記噴射口32ａから噴射させる。噴射された液体または気体は、前記衝突部材５に衝突した後、下方に向きを変え落下口２７より装置３０外へ出る。前記放出口3ｅから放出された被選別シジミは、液体または気体が吹き掛けられ、矢印に示されるように前記衝突部材５へ向かって略水平右方向に次々飛ばされて衝突する。ここで、実施例１と異なるのは、被選別シジミが前記噴射口32ａから噴射された液体または気体で、１度目の衝撃を受けないことである。そこで、実施例２では、前記衝突部材５を丸棒２４、２５、２６や前記衝突板１７、１８、１９で構成しておき、被選別シジミが複数回の衝撃を受けるようにするのが好適である。閉口している死貝は、複数回の衝撃で開口して片貝になり、液体または気体と共に下方に移動する。このとき、加速手段として水が利用されていると、死貝の中に泥が入っている所謂泥貝の開口で飛散する泥は、水で洗浄されて流出するので良貝に付着することがない。
【００４０】
なお、変更例として以下に述べる変形が可能である。
実施例１・２の二枚貝選別装置では、シジミを選別する構成で説明したが、二枚貝の種類はシジミに限定されるものではなく、アサリ、赤貝、ハマグリ等の二枚貝が選別可能である。
【００４１】
実施例１の二枚貝選別装置では、エンジン駆動モーターで説明したが、これに限定されるものではなく、電動モーターや他の回転体等を加速手段の駆動源にしても良い。また、プーリーを単独配置して、ハンドルを取り付け手動で回転させても良い。
【００４２】
実施例１の衝突部材では、丸棒の３列で説明したが、これに限定されるものではなく、１列から複数列までが実施できる。また、丸棒をいずれも垂直に配設したが、水平方向に配設もしくは垂直と水平の組み合わせの配設にしても良い。更に、衝突板と加速手段の間に配設して、被選別貝に衝撃を与えるものであれば、丸棒に限定されるものではない。更にまた、二枚貝の種類によっては、衝突板のみ、または複数列の丸棒のみで実施しても良い。
【００４３】
実施例２の加速手段では、ノズルを複数配設したが、これに限定されるものではなく、放出口の開口に適応する長さのスリット状の噴射口にしても良い。
【図面の簡単な説明】
【００４４】
【図１】本発明の実施例１に係る二枚貝選別装置の選別機構を示す概略構成図である。
【図２】図１に示した二枚貝選別装置のB-B位置を切断した断面図である。
【図３】実施例１に係る二枚貝選別装置とこれに連結される片貝選別機との関係を示すブロック図である。
【図４】実施例１に係る二枚貝選別装置とこれに連結されるサイズ選別機との関係を示すブロック図である。
【図５】本発明の実施例２に係る二枚貝選別装置の選別機構を示す概略構成図である。
【図６】図５に示した二枚貝選別装置のC-C位置を切断した断面図である。
【符号の説明】
【００４５】
1・30  二枚貝選別装置
2  本体枠
3  供給部
4・31  加速手段
5  衝突部材
8  調節板
9  円筒軸
10  羽根部
11・12  軸受
13・15  プーリー
14  エンジン駆動モーター
17・18・19  衝突板
20・21  保持枠
22ａ・22ｂ・22ｃ・23ａ・23ｂ・23ｃ・24・25・26  丸棒
32  ノズル
33  主管
34  弁
40  片貝選別機
50  サイズ選別機
41・51・52・53  容器
42  漁獲箱
【図１】
2006043585.tif 000003
【図２】
2006043585.tif 000004
【図３】
2006043585.tif 000005
【図４】
2006043585.tif 000006
【図５】
2006043585.tif 000007
【図６】
2006043585.tif 000008